(57)【要約】  磁気共鳴撮像装置用のバードケージコイル１０は、２つのエンドリング１６の各々の遠位端１５に結合される複数の桟１２を含む。前記エンドリング１６は、コンデンサ２０、２２、２４の組毎に分けられた複数のリング区分１８を有する。前記桟１２は、コネクター部分１４により前記エンドリング１６に結合され、前記コネクター部分は前記エンドリング１６と前記桟１２との間に間隙を作り出す。さらに、前記桟１２は、コンデンサ２０、２２、２４の上に位置決められ、前記コネクター部分１４は、前記コンデンサ２０、２２、２４に対して所望の桟の位置を達成するために、前記コネクター部分１４が結合される前記リング区分１８に対し前記桟１２の位置をオフセットするように形成される。
2011500193.tif 000002
【特許請求の範囲】
【請求項１】
磁気共鳴撮像装置のためのバードケージコイルにおいて、
中心軸を中心に位置決められる２つのエンドリングであり、各々が内端及び遠位端を持っているエンドリング、
前記中心軸に平行に延在する前記エンドリングの内端間における軸方向距離よりも大きい長さを持つと共に、各エンドリングの前記遠位端に隣接する地点で終端する複数の桟であり、前記エンドリングの直径よりも短い直径を持つ円筒を規定する桟、並びに
夫々の桟を夫々のエンドリングの遠位端に結合する、各桟の各々の端部にあるコネクター部分
を有するバードケージコイル。
【請求項２】
各エンドリングは、複数のリング区分及び隣接するリング区分の各対を接続する複数のコンデンサをさらに含んでいる請求項１に記載のバードケージコイル。
【請求項３】
前記桟は、前記コンデンサと前記コイルの治療中心との間に位置決められる請求項２に記載のバードケージコイル。
【請求項４】
前記コネクター部分は、前記桟及び前記コネクター部分に結合される前記リング区分の湾曲に対応する湾曲した端部を持ち、前記桟を前記コイルの治療中心に対して前記リング区分に直接且つ対称的に接続する請求項２に記載のバードケージコイル。
【請求項５】
前記コネクター部分は、前記桟及び前記コネクター部分が結合される前記リング区分の湾曲に対応する湾曲した端部を持つ略平行四辺形であり、前記桟は、前記コンデンサと前記中心軸との間において半径方向に位置決めされる請求項３に記載のバードケージコイル。
【請求項６】
前記コネクター部分は、前記桟及び前記コネクター部分が結合される前記リング区分の湾曲に対応する湾曲した端部を持つ略平行四辺形であり、前記桟は前記複数のコンデンサの上に既定の高さで位置決められている請求項３に記載のバードケージコイル。
【請求項７】
前記コネクター部分は、前記桟及び前記コネクター部分が結合される前記リング区分の湾曲に対応する湾曲した端部を持つ等脚台形として略形成される請求項３に記載のバードケージコイル。
【請求項８】
前記コネクター部分は、前記桟及び前記コネクター部分が結合される前記リング区分の湾曲に対応する湾曲した端部を持つ不規則な台形として略形成される請求項３に記載のバードケージコイル。
【請求項９】
前記エッジリングは、何れか２つの隣接するリング区分間において、前記エンドリングの遠位端に隣接して位置決められる１対の直列接続したコンデンサをさらに含んでいる請求項２に記載のバードケージコイル。
【請求項１０】
前記コネクター部分は、前記コンデンサの対の間にある前記エンドリングに結合される請求項９に記載のバードケージコイル。
【請求項１１】
各桟は、少なくとも１対のコンデンサにより１対のリング区分に接続される請求項１０に記載のバードケージコイル。
【請求項１２】
主磁石の組立体、
複数の勾配コイル、及び
請求項１に記載のバードケージコイル
を有する磁気共鳴撮像システム。
【請求項１３】
前記コネクター部分は、前記エンドリングの遠位端に近い地点で金属片に結合される請求項２に記載のバードケージコイル。
【請求項１４】
前記金属片は、複数の直列接続されたコンデンサの対の各々の間にある中心タップに結合される請求項２に記載のバードケージコイル。
【請求項１５】
前記コネクター部分は、前記コネクター部分が結合される前記桟の湾曲に対応している湾曲した端部、並びに前記金属片の幅に略等しい長さのリング側の端部及び前記桟の幅に略等しい桟側の端部を備える台形形状である請求項１４に記載のバードケージコイル。
【発明の詳細な説明】
【技術分野】
【０００１】
本発明は、特に磁気共鳴撮像（ＭＲＩ）を含む、被験者撮像システムに特に応用される。しかしながら、説明した技術は、他の撮像システム、他の医療シナリオ又は他の医療技術にも応用されることも分かっている。
【背景技術】
【０００２】
従来のバードケージコイルの設計は、キャリア構造物に取り付けられた平坦な金属片(metal strip)の形状の桟(rung)及びエンドリングを用いる。幅の広い桟及びさらに幅の広いリングは、高い電力感度を達成するのに有利なことは分かっている。前記エンドリングが桟よりもＲＦスクリーンの近くに位置決められるとき、ＲＦ磁場の均一性は改善され、（例えばＲＦ電場による）患者の比吸収率（ＳＡＲ）は減少する。例えば、D. Weyers, D. Keren, E. Boskamp, G. McKinnon, K. Kinseyによる"An Elevated Endring Birdcage Coil for Improved Performance at 3 Tesla", Proc. Intl. Soc. Mag. Reson. Med. 11(2004), p. 1548、及びD.J. Weyers, D. Keren, K. Kinsey, B. Boskampによる米国出願公開番号US2005/0107684 A1号"Elevated Endring Birdcage Antenna for MRI Applications"を参照されたい。
【０００３】
しかしながら、桟の幅及びエンドリングの幅は、画像の劣化が起こり始める前である限り、単に増大することができるという点で上記設計は制限される。すなわち、バードケージコイルの全長が他の構造的理由で決められる場合、エンドリングの幅を広げることは、桟の有効長を減少させる。結果として、幅の広いエンドリングの利点と、長い桟の利点との間に妥協点が存在する。
【発明の概要】
【発明が解決しようとする課題】
【０００４】
本出願は、新しい且つ改善されたＳＡＲを減少させるバードケージコイルシステム及び方法を提供し、これらシステム及び方法は、幅の広いリングと長い桟の利点の両方を持ち、上述した問題及びその他を克服する。
【課題を解決するための手段】
【０００５】
ある態様によれば、磁気共鳴撮像装置用のバードケージコイルは、中心軸を中心に位置決められた２つのエンドリングを含み、各エンドリングは、内端と遠位端を持つ。前記中心軸と平行に延在しているエンドリングの内端間における軸方向距離よりも大きな長さを持つと共に、各エンドリングの遠位端に隣接する地点で終端する複数の桟は、前記エンドリングに接続され、前記桟は前記エンドリングの直径よりも小さな直径を持つ円筒を規定する。前記コイルはさらに、各桟の各端部にコネクター部分を含み、夫々の桟を夫々のエンドリングの遠位端に結合する。ある実施例において、前記桟は、コンデンサの上に位置決められる一方、前記リング区分に接続されている。
【０００６】
１つの利点は、Ｂ１磁場強度が増大していることである。
【０００７】
もう１つの利点は、改善された軸方向の均一性にある。
【０００８】
もう１つの利点は、軸方向におけるさらに大きな使用可能範囲、並びに前記コイルの桟及びエンドリングに近づいてくる患者の身体部分における減少するＳＡＲにある。
【０００９】
本発明のさらに他の利点は、以下の詳細な説明を読み、理解した後に、当業者により理解されるであろう。
【００１０】
本発明は、様々な構成要素及び構成要素の配置、並びに様々なステップ及びステップの配置の形式をとってもよい。図面は単に様々な態様を説明するためであり、本発明を限定するとは考えない。
【図面の簡単な説明】
【００１１】
【図１】ここに説明される様々なコイル構造と共に用いられるような、例示的な被験者撮像装置の説明図。
【図２】互いに平行に延在する共に、各端部においてエンドリングの遠位端に結合される複数の桟を含むバードケージコイルの一部の説明図。
【図３】桟がリング区分よりも細いバードケージコイルのもう１つの実施例の説明図。
【図４】桟が実質的にリングコンデンサの上に位置決められるように、前記桟はリング区分に対してオフセットされているバードケージコイルの一部の説明図。
【図５】平行な桟側及びリング側の端部を備えるが、桟とエンドリングとの間の距離にまたがっている一致しない対向する端部を備える不規則な台形形状を持つ、バードケージコイルの一部の説明図。
【図６】コネクター部分は、このコネクター部分が取り付けられているリング区分の一部と同様に、リングコンデンサを重畳するように桟を位置決めすることを容易にする台形形状を持つバードケージコイルの一部の説明図。
【図７】コネクター部分は、このコネクター部分が取り付けられているリング区分を実質的に重畳することなく実質的にコンデンサの上に桟を位置決める不一様な台形形状を持つバードケージコイルの一部の説明図。
【図８】コネクター部分は、このコネクター部分が取り付けられているリング区分を重畳することなく実質的に前記コンデンサの上に桟を位置決める平行四辺形形状を持つバードケージコイルの一部の説明図。
【図９】遠位端にあるエンドリングコンデンサは２つのコンデンサからなる直列接続に置き換えられ、コネクター部分は前記コンデンサの中央の接合部に接続されるバードケージコイルの一部の説明図。
【図１０】リングコンデンサの幾つか又は全ては適切に増加した値のコンデンサの対に置き換えられ、中央の接合部は、リング区分の遠位端及びコネクター部分への接続部へ延びている金属片と接続しているバードケージコイル１０の一部の説明図。
【発明を実施するための形態】
【００１２】
ここに述べられるシステム及び方法は、様々な設計特性を用いてコイルの性能を向上させるのと同様に、感度及び均一性を向上させることを容易にする一方、磁気共鳴撮像（ＭＲＩ）システム用のバードケージコイルにおけるＳＡＲを低減させる。様々な態様に従って、バードケージコイルの桟は、従来のバードケージの設計には普通にあることだが、エンドリングの内端にではなく、エンドリングの（例えばバードケージコイルの中心に対する）遠位端に結合される。これはよりコンパクトなコイルの製造を可能にする一方、桟の長さ及びエンドリングの幅を最大化又は最適化する。ここに述べられる構造は、バードケージの長さをエンドリングの幅の２倍まで減少させる。その上、述べられるコイルの構造は、コイルの"有効容積(effective volume)"を減少させること、及びそれに応じてより高い電力感度を達成することを容易にすることができる。
【００１３】
図１を参照すると、ここに述べられる様々なコイルの組立体と共に用いられる磁気共鳴（ＭＲ）スキャナ２が描かれている。このＭＲスキャナは、円筒形の主磁石の組立体４を含んでいる。この主磁石の組立体４は、撮像するために被験者がその中に置かれるボア６を規定する超伝導のクライオシールドの筒形コイル(solenoid)でもよい。この主磁石の組立体４は、ボア６の長軸に沿って配向される略一定の主磁場を発生させる。円筒形の主磁石の組立体４が描かれていたとしても、他の磁石配置、例えば垂直磁場、解放磁石(open magnet)、非超伝導磁石及び他の構成も検討されると理解されるべきである。
【００１４】
勾配コイル８は、磁気共鳴信号を空間符号化するため、磁化を損なわせる磁場勾配を発生させるため等の磁場勾配を前記ボア６に発生させる。好ましくは、磁場勾配コイル８は、３つの直交する方向、一般に縦方向又はｚ、横方向又はｘ、及び鉛直方向ｙに磁場勾配を発生させるように構成されるコイル区分を含む。
【００１５】
全身用ＲＦコイルの組立体１０（例えばバードケージコイルの組立体）は、被験者の双極子に磁気共鳴を励起させるためのＲＦパルスを発生させる。このＲＦコイルの組立体１０は、撮像領域から発している磁気共鳴信号を検出するのにも役立つ。さらに、より感受性の高い磁気共鳴信号の局所的な空間符号化、励起及び受信のために、任意の局所コイルがボア６の内部に描かれている。様々な形のコイル配列、例えば１つの出力を備える簡単な表面ＲＦコイル、２つの出力を備える直交コイル(quadrature coil)、数個の出力を備える位相配列、多数の出力を備えるＳＥＮＳＥコイル配列、出力及び入力を両方備える組み合わされたＲＦ及び勾配コイル等が検討される。バードケージコイル１０及び／又は局所コイル１０'は、図１の切り欠き図に描かれるように１対のエンドリング１６の内部表面の遠位端に結合される複数の桟１２を含む。勾配パルス増幅器３０は、制御された電流を磁場勾配コイル８に送出し、選択した磁場勾配を発生させる。前記勾配増幅器は、勾配コイルを備える局所コイル配列の勾配コイルに電気パルスも送出する。アナログ又はデジタルのＲＦ送信器３２は、ＲＦパルス又はパルスのパケットをＲＦコイルの組立体１０に供給し、選択した磁気共鳴の励起を生じさせる。ＲＦ受信器３４は、誘導される磁気共鳴信号を受信及び復調するために、前記局所コイル１０'に結合される。任意には、全身用コイル１０が有線又は無線による配線で前記受信器に接続される。
【００１６】
被験者の磁気共鳴撮像データを取得するために、被験者は、主磁場の治療中心（アイソセンター）に又はその近くに撮像領域を持つ磁石ボア６の中に置かれる。シーケンス制御器４０は、勾配増幅器３０とＲＦ送信器３２と通信し、選択した過渡（transient）又は定常状態の磁気共鳴シーケンスを発生させる、このような磁気共鳴を空間符号化する、磁気共鳴を選択的に損なわせる又は別の方法で被験者に特徴的な選択した磁気共鳴信号を発生させる。発生した磁気共鳴信号は、局所コイル１０'により検出され、ＲＦ受信器３４に伝達され、ｋ空間メモリ４２に記憶される。撮像データは、再構成処理器４４により再構成され、画像メモリ４６に記憶された画像表現を生成する。１つの適切な実施例において、前記再構成処理器４４は、逆フーリエ変換による再構成を行う。
【００１７】
結果として得られる画像表現は、ビデオ処理器４８により処理され、人間が読める表示装置を備えるユーザインタフェース５０に表示される。このインタフェース５０は好ましくはＰＣ又はワークステーションである。ビデオ画像を生成するのではなく、前記画像表現は、プリンタ装置により処理及び印刷され、コンピュータネットワーク又はインターネットを介して送信される等がされる。好ましくは、ユーザインタフェース５０は、放射線科医又は他の操作者が磁気共鳴シーケンス制御器４０と通信して、磁気共鳴撮像シーケンスを選択、撮像シーケンスを修正、撮像シーケンスを実行等を行うことも可能にする。
【００１８】
図２に関して、バードケージコイル１０の拡大した端部が描かれ、これは互いに平行に延在すると共に、各端部においてコネクター部分１４によりエンドリング１６の外端１５に結合される複数の桟１２を含む。図２から図１０を簡略化するために、桟及びリング区分は、これら桟及びリング区分が用いられる実際の円筒形配置ではなく、平面の上に平坦であるように描かれている。加えて、前記コネクター部分１４の形状（例えば矩形、台形、平行四辺形等）に関して、上記説明がここにある簡略化した平面図に応用すること、並びに桟及びエンドリングに結合する前記コネクター部分の平行な端部は、円筒形のエンドリングと一致するように湾曲され得ることを理解すべきである。ある実施例において、前記桟は、円筒形担体の構造物の上に置かれる金属領域から構成され、この場合、前記コネクター部分は、前記エンドリング及び前記桟の湾曲に対応する湾曲した端部を持つ。一方、多角形のエンドリングを用いた実施例において、上記端部は直線とすることができる。
【００１９】
説明されていなくとも、同様のエンドリングの組立体が、前記桟１２の他方の端部に置かれることも理解すべきである。バードケージコイル１０の構造は、Ｂ１磁場強度を増大させ、軸方向の均一性を向上させ、使用可能な容積の限界を軸方向にさらに遠くに移動させる。ある実施例において、リング区分は、前記桟の幅に略等しい周長を持つ。約９０°以外の補角の組み合わせが桟をエンドリングに結合するのに用いられたとしても、コネクター部分１４は、それの桟及びエンドリングの両方に略直交している。例えば、各桟は、エンドリングの外端又は遠位端をわずかに越して延在することができ、桟にコネクター部分と約Ｘ°の角度を形成させる一方、前記コネクター部分は、約Ｙ°の角度で前記エンドリングに接続し、ここでＸ＋Ｙ＝１８０°である。代替的に、前記桟は、ＸはＹよりも小さく、Ｘ＋Ｙ＝１８０°であるように、２つのエンドリングの外端間にある距離よりも短い長さを持つことができる。さらに他の実施例において、コネクター部分は、１つ以上の平面において湾曲される。
【００２０】
エンドリング１６は、前記コネクター部分１４が結合された複数のエンドリング１８を有し、このエンドリング１８はコンデンサ２０が組み入れられている。例えば、３つのコンデンサがエンドリングの内端からエンドリングの遠位端に略等しく離間されている。多くの又は数個のコンデンサが夫々のリング部分１８の間に置かれてもよいことは理解されている。コンデンサとリング区分との間の接続は、はんだ付け又は他の何らかの適切な技術により行われることができる。
【００２１】
説明される部分１０は、所定の距離だけ間隔をあけた２つの円筒形のエンドリングを含む、円筒形のバードケージの一区分を示し、これらエンドリングの各々は既定数のリング区分１８を含んでいる。ある実施例において、前記エンドリング１６は、（例えば１つの連続するリング区分１８だけを持つように）連続であり、コンデンサを持たないのに対し、各桟は例えばローパスのバードケージ配置のように１つ以上のコンデンサ（図示せず）を含んでいる。もう１つの実施例において、各エンドリングは、ここでＮは整数である、Ｎ個の組のコンデンサ２０を交互に配したＮ個のリング区分を持ち、Ｎ本の桟は、ハイパスのバードケージ配置のように何らコンデンサを含まない。さらにもう１つの実施例において、桟及びエンドリングは共にバンドパスのバードケージ配置のようにコンデンサを有する。何れの場合においても、前記桟は、（前記治療中心に対し）前記エンドリングの遠位端の軸方向の位置に延在されると共に接続される。
【００２２】
図３は、バードケージコイル１０のもう１つの実施例を説明し、この実施例において、桟１２は、（例えばバードケージの長軸を中心とする円周方向において）リング区分１８よりも細く、コネクター部分１４は、桟の周長に略等しい長さを持つ桟側の端部、及びコネクター部分１４が取り付けられているリング区分１８の幅に略等しい長さを持つリング側の端部を備える等脚台形の形状を各々持っている。このようにして、桟の幅は、リング区分の周長に等しいことに限定されない。
【００２３】
図４は、前記桟１２が実質的にリングコンデンサ２０の上に位置決められているように、前記コンデンサとバードケージコイルの長軸との間において、前記桟１２は前記リング区分１８に対してオフセットされているバードケージコイル１０の一部を説明している。この実施例において、各々のコネクター部分１４は、前記桟に接続しているコネクター部分の端部とエンドリング１６の区分１８の遠位端１５とは、対向する端部であるため、略等しい長さであるように、平行四辺形として形成される。この平行四辺形は、桟を所望の又は既定の間隔だけ前記エンドリングから離間させるための高さ（例えば前記桟がエンドリングに対し半径方向内向きに位置決めされる距離）を持つ。任意には、前記リング区分は、桟よりも（例えば、円周方向において）幅を広くすることができる。
【００２４】
図５は、バードケージコイル１０の一部の説明図であり、この図において、各コネクター部分１４は、平行な桟側及びリング側の端部を備えるが、桟とエンドリングとの間の距離にまたがっている一致しない対向する端部を備える不規則な台形形状を有する。この実施例において、前記リング区分は、（例えば円周方向において）桟よりも幅が広い。ここに記載されるコネクター部分の何れかと同様に、各コネクター部分の形状は、桟をリング区分に最小の電気損失及び／又はインピーダンスで接続する一方、発生する磁場の外乱を緩和することを容易にするように構成される。
【００２５】
図６から図８は、コネクター部分１４がエンドリング区分１８に結合されているように、桟１２、コネクター部分１４の形状及び／又は配向に関する追加の実施例を説明している。図６は、バードケージコイル１０の一部の説明図であり、この図において前記コネクター部分１４は、このコネクター部分１４が取り付けられているリング区分１８の一部と同様に、リングコンデンサ２０を重畳するように前記桟１２の位置決めを容易にする台形形状を持つ。前記コネクター部分は、前記桟の幅に対応する長さを持つ桟側の端部と、コンデンサ２０に隣接している、前記リング区分の遠位端に結合される短い平行なリング側の端部とを持つ。前記コネクター部分の他端は、桟とリング区分及び／又はコンデンサとの間に既定の高さ又は間隔を達成するために所望の長さであり、一致している。図７及び図８と同様に、コネクター部分１４がリング区分のほんのわずかな幅の上において前記リング区分に取り付けられている点で図６も図２から図５とは異なる。
【００２６】
図７は、コネクター部分１４が桟１２を実質的にコンデンサ２０の上に位置決める一様ではない台形形状を持つバードケージコイル１０の一部を説明している。ある実施例において、前記コネクター部分は、前記桟の幅に略等しい長さの桟側の端部と、コンデンサ２０に隣接している、前記リング区分の遠位端に結合される短い平行なリング側の端部とを持つ。この実施例において、前記リング区分は、（例えば円周方向において）桟よりも幅が広い。前記コネクター部分の他端は、桟とリング区分及び／又はコンデンサとの間に既定の高さを達成するために所望する長さであり、一致していない。例えば、コネクター部分のコンデンサ側の端部は、桟が実施的にコンデンサの上に位置決められるように、リング区分側の端部よりも長い。
【００２７】
図８は、コネクター部分１４が桟１２を実質的にコンデンサ２０の上に位置決める平行四辺形形状を持つバードケージコイル１０の一部を説明している。ある実施例において、前記コネクター部分は、前記桟の幅に略等しい長さの桟側の端部と、コンデンサ２０に隣接している、前記リング区分の遠位端に結合される略等しい長さの平行なリング側の端部とを持つ。この実施例において、前記リング区分は、（例えば円周方向において）桟よりも幅が広い。前記コネクター部分の他端は、桟とリング区分及び／又はコンデンサとの間に既定の間隔を達成するために所望する長さである。図８は、エンドリング１６の外端１５の間における軸方向の間隔よりも長い桟１２の使用するオプションも説明している。
【００２８】
図４から図８の構造は、エンドリングコンデンサにかかる高電圧から生じる電場に対するシールドとして桟を利用することを可能にする。これは、コネクター部分及びエンドリングに近づいてくる被験者の身体部分におけるＳＡＲの減少につながる。
【００２９】
図９は、バードケージコイル１０の一部の説明図であり、この図において、遠位端にあるエンドリングコンデンサは２つのコンデンサ２２及び２４からなる直列接続に置き換えられ、コネクター部分１４はこれらコンデンサの中央の接合部に接続される。リング区分１８の間に位置決められた残りのコンデンサ２０（例えば中央のコンデンサ及びエンドリングの内端に最も近いコンデンサ）が保持される。コンデンサ２０及び２２は、略等しい値を持つことができ、直列に接続される場合、コンデンサ２０及び２２にかかる全静電容量は、夫々のコンデンサの静電容量に略等しいように、コンデンサ２０の静電容量のおよそ２倍の値を持つように選択されることができる。図８のバードケージ構造は、コネクター部分とエンドリング区分の遠位の金属端との間に傾斜した接続の必要性を軽減する。（例えばコンデンサ２０及び２２により形成されるような）分割したリングコンデンサの中央の"タップ(tap)"への接続は、対称的な半径方向の接続を可能にして、何れかのコネクター部分と２つの隣接するリング部分との間にある最大電圧を半分にする。
【００３０】
図１０は、バードケージコイル１０の一部の説明図であり、この図において、リングコンデンサの幾つか又は全ては適切に増加した値のコンデンサの対に置き換えられ、中央の接合部は、リング区分１８の遠位端及びコネクター部分１４への接続部へ延びている金属片２６と接続している。これにより、図９のバードケージ構造も前記コネクター部分とエンドリング区分の遠位の金属端との間に傾斜した接続の必要性を軽減する。同様に、（例えばコンデンサ２２及び２４により形成されるような）分割したリングコンデンサの中央の"タップ"への接続は、対称的な半径方向の接続を可能にして、何れかのコネクター部分と２つの隣接するリング部分との間にある最大電圧を半分にする。
【００３１】
桟１２、コネクター部分１４、リング区分１８及び／又は金属片２６は、単一の材料（例えば、金属、誘電体基板上の薄膜等）から形成されることができ、設計者の要求通りに先行する図面の何れかに従って及び／又は既定の設計制約に従って、すなわち電気的に接続された部分により、所望の形状に作り上げられる。一体化したリング区分を備える複数の桟は、所望のバードケージコイル構造を作成するために、夫々のリング区分の部分にリングコンデンサを取り付けることにより接合されることができる。
【００３２】
本発明は、幾つかの実施例を参照して説明されている。上記詳細な説明を読み、理解した後に、改良及び変更が思い浮かぶかことがある。本発明は、上記改良及び変更が添付の特許請求の範囲又はそれに相当するものの範囲内にある限り、上記改良及び変更を全て含んでいると考えられることを意味している。
【図１】
2011500193.tif 000003
【図２】
2011500193.tif 000004
【図３】
2011500193.tif 000005
【図４】
2011500193.tif 000006
【図５】
2011500193.tif 000007
【図６】
2011500193.tif 000008
【図７】
2011500193.tif 000009
【図８】
2011500193.tif 000010
【図９】
2011500193.tif 000011
【図１０】
2011500193.tif 000012
【国際調査報告】
2011500193.tif 000013
2011500193.tif 000014
2011500193.tif 000015